(57)【要約】      （修正有）【課題】果実に装着した状態で、その内部への雨水などの水の入り込みを抑えることができる防水性に優れた果実保護カバーを提供する。【解決手段】果樹に実った状態の果実ｆの少なくとも上部を収納する収納凹部が下方に形成された果実保護カバー１Ａである。果実保護カバー１Ａには、収納凹部の開口縁部１２から果実保護カバー１Ａの頂部１３に亘って、切れ込み１４が形成されている。果実保護カバー１Ａを果実ｆに装着する際に一方側のカバー壁部１５ａと他方側のカバー壁部１５ｂとが重なる重なり部分１７となるカバー壁部１５ａ，１５ｂの外壁面には、切れ込み１４に沿って突条部１８Ａ，１８Ｂが形成されている。【選択図】図３
0003190803.tif 000002
【実用新案登録請求の範囲】
【請求項１】
果樹に実った状態の果実の少なくとも上部を収納する収納凹部が下方に形成された果実保護カバーであって、
該果実保護カバーには、前記収納凹部の開口縁部から前記果実保護カバーの頂部に亘って、切れ込みが形成されており、
前記果実保護カバーは、前記切れ込みにより区分された一方側のカバー壁部と、他方側のカバー壁部とを重ね合わせ、該重ね合わせた重なり部分を接合することにより、前記果実に装着されるものであり、
前記果実保護カバーを前記果実に装着する際に前記重なり部分となる、少なくとも何れか一方の前記カバー壁部の外壁面には、前記切れ込みに沿って突条部が形成されていることを特徴とする果実保護カバー。
【請求項２】
前記突条部は、切れ込みにより区分された双方のカバー壁部の外壁面に形成されており、
前記突条部の位置に対応する前記カバー壁部の内壁面には凹溝部が形成されており、
前記一方のカバー壁部と前記他方のカバー壁部とを重ね合わせたときに、前記外壁面の突条部の少なくとも一部が、前記内壁面の凹溝部に入り込むように、前記突条部が形成されていることを特徴とする請求項１に記載の果実保護カバー。
【請求項３】
前記切れ込みの端部のうち前記果実保護カバーの頂部側の端部を含む部分は、その周りの前記果実保護カバーの頂部に対して突出していることを特徴とする請求項１または２に記載の果実保護カバー。
【考案の詳細な説明】
【技術分野】
【０００１】
本考案は、果樹に実った状態の果実の少なくとも上部を覆い、果実を保護する果実保護カバーに関する。
【背景技術】
【０００２】
従来から、果樹に実った状態の蜜柑、桃、林檎、梨等の果実が、過度に日光を受けることにより日焼けを起こしたり、雹などが衝突することにより傷が生じたりすることから、果樹に実った状態の果実に、紙製の袋を覆うことが一般的に行われている。しかしながら、紙製の袋は、雨水等により濡れた場合、破れ易い。
【０００３】
このような点を鑑みてたとえば、以下に示す樹脂発泡体からなる果実保護カバーが提案されている（例えば特許文献１参照）。この果実保護カバーは、図１０（ａ）に示すように、カップ状に成形したカバーであり、果実の少なくとも上部を収納する収納凹部９１が下方に形成されている。果実保護カバー９には、収納凹部９１の開口縁部９２から果実保護カバー９の頂部９３に亘って、切れ込み９４が形成されている。
【０００４】
果実保護カバー９で果実ｆを覆う際には、開口縁部９２に形成された切れ込み９４の端部９４ａから、頂部９３に形成された切れ込み９４の端部９４ｂまで、切れ込み９４に沿って果実ｆの軸部ｂを挿入する。これにより、図１０（ｂ）に示すように、果実ｆの上部から延在する軸部ｂを頂部９３近傍の切れ込み９４に貫通させた状態で収納凹部９１に果実ｆを収納することができる。その後、切れ込み９４が開かないように、切れ込み９４に沿って粘着テープｔを貼りつける。このようにして、果実保護カバー９で果実ｆを覆い、日光や雹から果実ｆを保護することができる。
【先行技術文献】
【特許文献】
【０００５】
【特許文献１】特開平５−２３０６４号公報
【考案の概要】
【考案が解決しようとする課題】
【０００６】
しかしながら、特許文献１に示す果実保護カバー９を用いた場合であっても、雨水や結露水等の水（水滴）が果実保護カバー９の表面に付着し、この水が、粘着テープｔを貼り付けていない切れ込み９４の隙間ｃ１からカバー内部（すなわち収納凹部９１）に浸入することがある。これにより、浸入した水が果実ｆに付着し、その付着した部分が変色することがあった。特に、各果実の中でも冬季に樹上で熟成させる柑橘系の果実ではこのような点が問題視されている。
【０００７】
そこで、例えば、図１０（ｃ）に示すように、切れ込み９４の隙間ｃ１を塞ぐべく、果実保護カバー９を用いて、切れ込み９４により区分された一方側のカバー壁部９５ａ、他方側のカバー壁部９５ｂを重ね合わせ、重ね合わせた重なり部分９７をステップルなどにより接合することにより、果実ｆの上部を覆うことも考えられる。
【０００８】
しかしながら、一方側のカバー壁部９５ａと、他方側のカバー壁部９５ｂとを重ね合わせた際に、図１０（ｃ）に示すように外側に位置する他方側のカバー壁部９５ｂが変形し、これらの間に隙間ｃ２が形成されることがある。これにより、果実保護カバー９の表面に付着した水がこの隙間ｃ２に入り込み、カバー内部に流れ込んでしまうことがあった。
【０００９】
本考案は、このような点を鑑みてなされたものであり、その目的とするところは、果実に装着した状態で、カバー内部への雨水、結露水などの水の浸入を抑えることができる防水性に優れた果実保護カバーを提供することにある。
【課題を解決するための手段】
【００１０】
前記課題を解決すべく、考案者が鋭意検討を重ねた結果、切れ込みにより区分された一方側のカバー壁部の外壁面と他方側のカバー壁部の内壁面とを重ね合わせた際に、一方側のカバー壁部の変形を抑えるように一方側のカバー壁部の剛性を高める、または、たとえ前記変形により隙間が形成されたとしても、これらの隙間に浸入する水を堰き止める堰を形成することができれば、カバー内部への水の浸入を抑えることができると考えた。
【００１１】
本考案は、このような点を鑑みてなされたものであり、本考案に係る果実保護カバーは、果樹に実った状態の果実の少なくとも上部を収納する収納凹部が下方に形成された果実保護カバーであって、該果実保護カバーには、前記収納凹部の開口縁部から前記果実保護カバーの頂部に亘って、切れ込みが形成されており、前記果実保護カバーは、前記切れ込みにより区分された一方側のカバー壁部と、他方側のカバー壁部とを重ね合わせ、該重ね合わせた重なり部分を接合することにより、前記果実に装着されるものであり、前記果実保護カバーを前記果実に装着する際に前記重なり部分となる、少なくとも何れか一方の前記カバー壁部の外壁面には、前記切れ込みに沿って突条部が形成されていることを特徴とする。
【００１２】
本考案によれば、果実保護カバーで樹木上の果実を覆う際には、収納凹部の開口縁部に形成された切れ込みの端部から、頂部に形成された切れ込みの端部まで、切れ込みに沿って果実の軸部を挿入する。これにより、果実の上部から延在する軸部を頂部近傍の切れ込みに貫通させた状態で、収納凹部に果実を収納することができる。この状態で、切れ込みにより区分された一方側のカバー壁部と切れ込みにより区分された他方側のカバー壁部とを重ね合わせ、該重ね合わせた重なり部分を接合し、果実保護カバーが果実に装着される。
【００１３】
ここで、例えば、一方側のカバー壁部の外壁面に突条部が形成され、該一方側のカバー壁部がカバー外側に位置し、他方側のカバー壁部がカバー内側に位置するように、これらを重ね合わせた場合には、突条部が一方側のカバー壁部の剛性を高める補強材として作用する。これにより一方側のカバー壁部の変形を抑え、一方側のカバー壁部と他方側のカバー壁部との間に隙間が形成され難くなる。これにより、果実に装着した状態で、カバー内部への雨水、結露水などの水の浸入を抑えることができる。
【００１４】
一方、他方側のカバー壁部の外壁部に突条部が形成され、上述の如く一方側のカバー壁部がカバー外側に位置し、他方側のカバー壁部がカバー内側に位置するように、これらを重ね合わせた場合には、一方側のカバー壁部と他方側のカバー壁部との間に突条部が配置される。これにより、突条部が、一方側のカバー壁部と他方側のカバー壁部との間に浸入する雨水、結露水などの水を堰き止める堰として作用するので、この場合も、カバー内部への水の浸入を抑えることができる。
【００１５】
より好ましい態様としては、前記突条部は、切れ込みにより区分された双方のカバー壁部の外壁面に形成されており、前記突条部の位置に対応する前記カバー壁部の内壁面には凹溝部が形成されており、前記一方のカバー壁部と前記他方のカバー壁部とを重ね合わせたときに、前記外壁面の突条部の少なくとも一部が、前記内壁面の凹溝部に入り込むように、前記突条部が形成されている。
【００１６】
この態様によれば、一方側のカバー壁部と他方側のカバー壁部とを重ね合わせた場合、カバー外側に位置するカバー壁部の突条部が、カバー外側に位置するカバー壁部の変形を抑えることができる。さらに、一方側のカバー壁部の内壁面と他方側のカバー壁部の外壁面との間にも、カバー内側に位置するカバー壁部の突条部が配置されるため、この突条部を水の浸入に対する堰として作用させることができる。この結果、上述した突条部による双方の効果を期待することができる。
【００１７】
さらに、これらを重ね合わせて接合した状態で、この堰として作用するカバー内側に位置するカバー壁部に形成された突条部の一部が、カバー外側に位置するカバー壁部の内壁面に形成された凹溝部に入り込む。これにより水の浸入をより確実に抑えることができるとともに、切れ込みが開き難くなり、果実からカバーが外れ難くなる。さらに、突条部をカバー壁部同士の重ねあわせの位置決め部として用いることができ、カバーを果実に容易に装着する装着作業性を高めることができる。
【００１８】
さらに好ましい態様としては、前記切れ込みの端部のうち、前記果実保護カバーの頂部側の端部を含む部分は、その周りの前記果実保護カバーの頂部に対して突出している。この態様によれば、果実保護カバーの上方から降り注がれる水が、果実保護カバーの頂部に溜ることを抑え、果実の軸部と切れ込みとの隙間から水が果実保護カバーの内部に浸入することを抑えることができる。
【考案の効果】
【００１９】
本考案によれば、果実に装着した状態で、その内部への雨水などの水の入り込みを抑えることができる。
【図面の簡単な説明】
【００２０】
【図１】本考案の第１実施形態に係る果実保護カバーの模式的斜視図。
【図２】（ａ）は図１に示す果実保護カバーの平面図、（ｂ）は（ａ）のＡ−Ａ線に沿った矢視断面図、（ｃ）は（ａ）のＢ−Ｂ線に沿った矢視断面図。
【図３】図１に示す果実保護カバーを果実に装着した状態を示した図。
【図４】図３のＣ−Ｃ線に沿った矢視断面図。
【図５】本考案の第２実施形態に係る果実保護カバーの模式的斜視図。
【図６】（ａ）は図５に示す果実保護カバーの平面図、（ｂ）は（ａ）のＤ−Ｄ線に沿って切断したときの矢視断面図、（ｃ）は（ａ）のＥ−Ｅ線に沿って切断したときの矢視断面図。
【図７】図５に示す果実保護カバーを果実に装着した状態を示した図。
【図８】図７のＦ−Ｆ線に沿って切断したときの矢視断面図。
【図９】（ａ）は本考案の第３実施形態に係る果実保護カバーの模式的斜視図、（ｂ）は（ａ）に示す果実保護カバーを果実に装着した状態を示した図、（ｃ）は（ｂ）とは異なる装着状態を示した図。
【図１０】（ａ）は従来の果実保護カバーの模式的斜視図、（ｂ）は（ａ）に示す果実保護カバーを果実に装着した状態を示した図、（ｃ）は（ｂ）とは異なる装着状態を示した図。
【考案を実施するための形態】
【００２１】
以下に、本考案の実施の形態を図面を参照しながら説明する。
〔第１実施形態〕
図１は、本考案の第１実施形態に係る果実保護カバーの模式的斜視図である。図２は、（ａ）は図１に示す果実保護カバーの平面図、（ｂ）は（ａ）のＡ−Ａ線に沿った矢視断面図、（ｃ）は（ａ）のＢ−Ｂ線に沿った矢視断面図である。図３は、図１に示す果実保護カバーを果実に装着した状態を示した図であり、図４は、図３のＣ−Ｃ線に沿った矢視断面図である。
【００２２】
本実施形態に係る果実保護カバー１Ａは、樹木上の（果樹に実った状態の）果実の少なくとも上部を覆うことにより、果実ｆを保護するカバーである（図３参照）。果実保護カバー１Ａの構成素材としては、たとえば熱可塑性の合成樹脂発泡シートが用いられる。
【００２３】
合成樹脂発泡シートの素材としては、剛性と柔軟性のバランスがよく緩衝性に優れ、かつ強度があって保形、復元性、成形性にも優れている点から、ポリオレフィン系、ポリスチレン系、またはウレタン系の樹脂発泡体が好ましく、より好ましくは、熱成形できる点からポリオレフィン系、または、ポリスチレン系の樹脂発泡体である。また、ポリオレフィン系、ポリスチレン系の非発泡シート、フィルムを積層したものでもよい。これらに着色剤、抗菌添加剤をさらに含んだものでもよい。
【００２４】
果実保護カバー１Ａを成形する前の合成樹脂発泡シートの厚みは、使用素材によっても異なるが、１〜７ｍｍの範囲にあり、８〜４０ｃｍ３／ｇに発泡しているものが好ましい。
【００２５】
発泡シートの厚みを１〜７ｍｍの範囲にすることにより、果実を保護するに充分な強度が得られ、発泡シートからの成形が容易になる。ここで、厚さが１ｍｍ未満の場合には、果実保護カバー１Ａの剛性を十分確保することができず、厚さが７ｍｍを超えた場合には、生産効率が低下することがある。
【００２６】
また、８〜４０ｃｍ３／ｇの範囲に発泡した発泡シートを用いることにより、充分な緩衝性および保温性が得られ、果実を保護するに十分な強度が得られる。ここで、８ｃｍ３／ｇ未満で発泡しているものは、素材自体が硬いため、衝撃緩衝性が十分に得られないばかりでなく、カバー内の果実に対して保温性を十分に保つとこができないことがあり、一方、４０ｃｍ３／ｇを超えて発泡しているものは、果実保護カバー１Ａの剛性を十分確保することができない。
【００２７】
果実保護カバー１Ａは、適度の弾力性及び保形性を有する上述した熱可塑性の合成樹脂発泡シートから、真空成形、圧空成形等の熱成形加工の手段により立体的に成形される。また、果実保護カバー１Ａを、シート製袋加工、ビーズ成形により成形してもよい。
【００２８】
このようにして製造される果実保護カバー１Ａは、樹上の（すなわち果樹に実った状態の）果実ｆの少なくとも上部を収納する収納凹部１１が下方に形成されたカップ状のカバーである。収納凹部１１は、果実保護カバー１Ａを構成する壁部１５により形成されている。果実保護カバー１Ａに下方に開口した収納凹部１１を形成することにより、カバー装着時の果実ｆの通気性を確保することができる。
【００２９】
果実保護カバー１Ａの壁部１５には、収納凹部１１の鍔状の開口縁部１２から果実保護カバー１Ａの頂部１３に亘って、切れ込み１４が形成されている。ここで、果実保護カバー１Ａの頂部１３側の切れ込み１４の端部１４ｂは、果実保護カバー１Ａの中央よりもさらに、開口縁部１２側の切れ込み１４の端部１４ａから離れた位置に形成されている。
【００３０】
これにより、図３に示すように、果実ｆの上部から延在する軸部ｂを頂部１３近傍の切れ込み１４に貫通させた状態で、切れ込み１４により区分された一方側のカバー壁部１５ａと、他方側のカバー壁部１５ｂとを重ね合わせた時に、収納凹部１１の中央に果実ｆを収納することができ、果実ｆが果実保護カバー１Ａに接触することをより確実に回避することができる。
【００３１】
さらに、本実施形態では、切れ込み１４により区分された双方のカバー壁部１５ａ，１５ｂには、一方側のカバー壁部１５ａと他方のカバー壁部１５ｂとが重なる部分（重なり部分１７）に、切れ込み１４に沿って突条部１８Ａ，１８Ｂが形成されている。すなわち、突条部１８Ａ，１８Ｂは、切れ込み１４を挟んで果実保護カバー１Ａの外壁面に形成されることになる。また、本実施形態では、突条部１８Ａ，１８Ｂは、果実保護カバー１Ａの頂部１３で連続して繋がっている。本実施形態では、突条部１８Ａ，１８Ｂは、同じ幅および高さを有しており、突条部の幅は、５〜２５ｍｍ（例えば１５ｍｍ）、突条部の高さは、２〜１０ｍｍ（例えば５ｍｍ）であることが好ましい。
【００３２】
上述した如く、果実保護カバー１Ａは発泡シートを成形して得られた成形体であるので、各突条部１８Ａ，１８Ｂの位置に対応する果実保護カバー１Ａの内壁面には凹溝部が形成されることになる。そして、一方のカバー壁部１５ａと他方のカバー壁部１５ｂとを重ね合わせたときに、外壁面の突条部１８Ｂの少なくとも一部が、突条部１８Ａの位置に対応する内壁面の凹溝部に入り込むようになっている。
【００３３】
本実施形態に係る果実保護カバー１Ａを用いて樹上の果実ｆを覆う際には、収納凹部１１の開口縁部１２に形成された切れ込み１４の端部１４ａから、頂部１３に形成された切れ込み１４の端部１４ｂまで、切れ込み１４に沿って果実ｆの軸部ｂを挿入する。これにより、果実ｆの上部から延在する軸部ｂを頂部１３近傍の切れ込み１４に貫通させた状態で、収納凹部１１に果実ｆが収納される。
【００３４】
この状態で、図３および図４に示すように、切れ込み１４により区分された一方側のカバー壁部１５ｂの内壁面１９ａと、切れ込みにより区分された他方側のカバー壁部１５ｂの外壁面１９ｂと、を重ね合わせ、重ね合わせた重なり部分１７をステップルなどで接合する。これにより、果実保護カバー１Ａに軸部ｂを挟み込んだ状態で、果実保護カバー１Ａを果実ｆに装着し、この上部を覆うことができる。
【００３５】
この際に、一方側のカバー壁部１５ａを外側にして、他方側のカバー壁部１５ｂを内側にして重ね合わせているので、一方側のカバー壁部１５ａの突条部１８Ａが、一方側のカバー壁部１５ａの変形を抑え、一方側のカバー壁部１５ａの内壁面と他方側のカバー壁部１５ｂの内壁面との間に隙間が形成され難くなる。
【００３６】
また、一方側のカバー壁部１５ａの内壁面１９ａと他方側のカバー壁部１５ｂの外壁面１９ｂとの間に、他方側のカバー壁部１５ｂの突条部１８Ｂが配置されるので、この突条部１８Ｂを水の浸入を堰き止める堰として作用させることができる。
【００３７】
さらに、本実施形態では、この堰として作用する他方側のカバー壁部１５ｂに形成された突条部１８Ｂの一部が、一方側のカバー壁部１５ａの内壁面に形成された凹溝部に入り込む。これにより、水の浸入をより確実に抑えることができるとともに、切れ込み１４が開き難くなり、果実ｆから果実保護カバー１Ａが外れ難くなる。さらに、突条部１８Ｂをカバー壁部１５ａ，１５ｂ同士の重ねあわせの位置決め部として用いることができ、果実保護カバー１Ａを果実に容易に装着する装着作業性を高めることができる。
【００３８】
このようにして、本実施形態に係る果実保護カバー１Ａによれば、果実ｆの上部を覆うことにより、雹害、日焼け防止を回避することができるとともに、切れ込み１４からカバー１内部への結露水、雨水などの水の浸入を抑え、水が果実ｆに付着し難くなる。
【００３９】
なお、本実施形態では、図３および図４に示すように、切れ込み１４により区分された一方側のカバー壁部１５ａがカバー外側に位置し、他方側のカバー壁部１５ｂがカバー内側に位置するようにこれらを重ね合わせて接合したが、これとは逆に、一方側のカバー壁部１５ｂがカバー内側に位置し、他方側のカバー壁部１５ｂがカバー外側に位置するようにこれらを重ね合わせて接合してもよい。この場合であっても、上述した効果と同じ効果を期待できるのは明らかである。
【００４０】
〔第２実施形態〕
図５は、本考案の第２実施形態に係る果実保護カバーの模式的斜視図である。図６は、（ａ）は図５に示す果実保護カバーの平面図、（ｂ）は（ａ）のＤ−Ｄ線に沿って切断したときの矢視断面図、（ｃ）は（ａ）のＥ−Ｅ線に沿って切断したときの矢視断面図である。図７は、図５に示す果実保護カバーを果実に装着した状態を示した図であり、図８は図７のＦ−Ｆ線に沿って切断したときの矢視断面図である。
【００４１】
本実施形態の果実保護カバー１Ｂが、第１実施形態の果実保護カバー１Ａと相違する点は、果実保護カバーの頂部の構造である。したがって、第１実施形態の果実保護カバー１Ａの部分と同じ機能を有する部分には、同じ符号を付してその詳細な説明を省略する。
【００４２】
図５に示すように、本実施形態に係る果実保護カバー１Ｂの切れ込み１４の端部１４ａ，１４ｂのうち、果実保護カバー１Ｂの頂部側の端部１４ｂを含む部分は、その周りの果実保護カバーの頂部に対して突出している。すなわち、本実施形態では、果実保護カバー１Ｂの頂部１３にドーム状の突出部１６がさらに形成されている。突出部１６の表面は、球面状の表面を有しており、突出部１６の頂点またはその近傍に、切れ込み１４の端部１４ｂが形成されている。
【００４３】
なお、突出部１６は、果実保護カバー１Ｂの中央よりもさらに、開口縁部１２側の切れ込み１４の端部１４ａから離れた位置に形成されており、果実保護カバー１Ｂの頂部１３側の切れ込み１４の端部１４ｂも、果実保護カバー１Ａの中央よりもさらに、開口縁部１２側の切れ込み１４の端部１４ａから離れた位置に形成されている。
【００４４】
このような突出部１６を設けることにより、果実保護カバー１Ｂの上方から降り注がれる水が、果実保護カバー１Ｂの頂部１３に溜ることを抑え、果実ｆの軸部ｂと切れ込み１４との隙間から水が果実保護カバー１Ｂの内部に浸入することを抑えることができる。また、球面状の表面となるように、ドーム状の突出部１６を設けたことにより、この突出部１６の切れ込み１４に区分されたカバー壁部同士も容易に重ね合わせることができる。
【００４５】
〔第３実施形態〕
図９（ａ）は本考案の第３実施形態に係る果実保護カバーの模式的斜視図、（ｂ）は（ａ）に示す果実保護カバーを果実に装着した状態を示した図、（ｃ）は（ｂ）とは異なる装着状態を示した図である。
【００４６】
本実施形態の果実保護カバー１Ｃが、第２実施形態の果実保護カバー１Ｂと相違する点は、果実保護カバーの突条部の構造である。したがって、第１実施形態の果実保護カバー１Ａの部分と同じ機能を有する部分には、同じ符号を付してその詳細な説明を省略する。
【００４７】
図９（ａ）に示すように、本実施形態に係る果実保護カバー１Ｃでは、切れ込み１４により区分されたカバー壁部１５ａ，１５ｂのうち、他方のカバー壁部１５ｂの外壁面にのみに、切れ込み１４に沿って突条部１８Ｃが形成されている。すなわち、本実施形態では、一方側のカバー壁部１５ａには、突条部が形成されていない。
【００４８】
このような果実保護カバー１Ｃで果実を覆う際に、例えば、図９（ｂ）に示すように、一方側のカバー壁部１５ａがカバー内側に位置し、他方側のカバー壁部１５ｂがカバー外側に位置するように、これらを重ねあわせて接合した際には、他方のカバー壁部１５ｂの突条部１８Ｃが、一方側のカバー壁部１５ｂの剛性を高める補強材として作用する。
【００４９】
このため、他方側のカバー壁部１５ｂの変形が押さえられるため、一方側のカバー壁部１５ａの外壁面と他方側のカバー壁部１５ｂの内壁面との間に隙間が形成され難くなる。これにより、果実ｆに装着した状態で、カバー内部へ結露水または雨水などの水が浸入することを抑えることができる。
【００５０】
一方、図９（ｃ）に示すように、一方側のカバー壁部１５ａがカバー外側に位置し、他方側のカバー壁部１５ｂが内側に位置するように、これらを重ねあわせて接合した際には、一方側のカバー壁部１５ａの内壁面と他方側のカバー壁部１５ｂの外壁面との間に突条部１８Ｃが配置されることになる。これにより、突条部１８Ｃが、一方側のカバー壁部１５ａの内壁面と他方側のカバー壁部１５ｂの外壁面との間の結露水または雨水などの水の浸入を堰き止める堰として作用するので、カバー内部への水の浸入を抑えることができる。
【００５１】
以上、本考案の実施形態について詳述したが、本考案は、前記の実施形態に限定されるものではなく、実用新案登録請求の範囲に記載された本考案の精神を逸脱しない範囲で、種々の設計変更を行うことができるものである。
【００５２】
第１〜第３の実施形態では、カップ状の果実保護カバーであったが、果実の上部を覆うものであれば、円錐状、角錐状、瓢箪状などの形状であってもよい。
【００５３】
第１〜第３の実施形態では、果実保護カバーは、果実の上半部よりも広い範囲を覆うような大きさとなっていたが、上述した如く、雹害、日焼け防止を回避することができるとともに、切れ込みからカバー内部への結露水、雨水などの水滴の浸入を抑えることができるのであれば、果実の上半分またはそれよりも狭い範囲の果実の上部を覆うような大きさであってもよい。
【００５４】
第１〜第３の実施形態では、果実保護カバーの中心に対して一方側のカバー壁部の外壁面に、一対の突条部または一つの突条部を設けたが、果実保護カバーを上下方向に一方向に傾き難く安定して積み重ねることができるように、果実保護カバーの中心を挟んで、突条部と反対側（他方側）のカバー壁部の外壁面に、さらに突条部のような突起部を設けてもよい。
【符号の説明】
【００５５】
１Ａ，１Ｂ、１Ｃ：果実保護カバー
１１：収納凹部
１２：開口縁部
１３：頂部
１４：切れ込み
１５ａ，１５ｂ：カバー壁部
１６：突出部
１７：重なり部分
１８Ａ，１８Ｂ，１８Ｃ：突条部
１９ａ：内壁面
１９ｂ：外壁面
ｂ：軸部
ｆ：果実
【図１】
0003190803.tif 000003
【図２】
0003190803.tif 000004
【図３】
0003190803.tif 000005
【図４】
0003190803.tif 000006
【図５】
0003190803.tif 000007
【図６】
0003190803.tif 000008
【図７】
0003190803.tif 000009
【図８】
0003190803.tif 000010
【図９】
0003190803.tif 000011
【図１０】
0003190803.tif 000012